(57)【特許請求の範囲】
【請求項１】
天然芝を取り付けた天然芝パレットと、
前記天然芝パレットを浮上させる浮上手段と、
前記天然芝パレットを他の天然芝パレットに引き寄せながら連結する連結手段と
を備えてなり、
前記連結手段が、
前記天然芝パレットの一方の側面に突設され、回転自在なローラを先端に有する雄形部材と、
前記天然芝パレットの他方の側面に突設され、前記雄形部材の前記ローラを引き寄せるようにして受け入れる略半円型の溝部を先端に有する雌形部材と
を備えてなる
ことを特徴とする天然芝パレット敷設装置。
【請求項２】
前記浮上手段が、
前記天然芝パレットの下部に設けられ、空気を送給されて膨らみ小孔から漏らすことができる可撓性を有するダイヤフラムと、
前記ダイヤフラムに空気を送給する空気送給手段と
を備えてなることを特徴とする請求項１に記載の天然芝パレット敷設装置。
【発明の詳細な説明】
【０００１】
【発明の属する技術分野】
本発明は、天然芝を取り付けたパレットを敷設する天然芝パレット敷設装置に関し、特に、多目的スタジアムなどのフィールドに敷設する場合に適用すると有効なものである。
【０００２】
【従来の技術】
多目的スタジアムでサッカーやテニスなどの競技を行うため、フィールドに天然芝を敷設する場合には、従来、細分化された多数の天然芝を作業員がフィールドに敷き詰めたり、天然芝を取り付けた天然芝パレットをタイル貼りのように横に擦り寄せながら敷設したり、図３，４に示すように、格納養生場所２の天然芝パレット６１をスタジアム１のフィールド１ａまで移動台車６２で搬送し、先に敷設してある天然芝パレット６１に新たに敷設する天然芝パレット６１を擦り寄せながら密着させた後、新たに敷設する天然芝パレット６１を昇降シリンダ６３により下降してパレット台６４で適宜固定する天然芝パレット敷設装置６０を用いたりしていた。
【０００３】
【発明が解決しようとする課題】
しかしながら、前述したようにして天然芝や天然芝パレット６１を敷設すると、天然芝や天然芝パレット６１同士を擦り寄せながら密着させるため、天然芝や天然芝パレット６１の端側の天然芝部分が崩れて傷んだり外観を損ねてしまいやすく、天然芝部分の保守管理に手間やコストがかかってしまう。そこで、天然芝部分を鉄板などの固いフレームなどで取り囲むようにすることも考えられるが、当該フレームに競技者のスパイクなどが引っ掛かってしまう虞があるため、実用的でない。
【０００４】
さらに、細分化された多くの天然芝や天然芝パレット６１をスタジアム１のフィールド１ａに敷設していくため、多くの労力や時間を要してしまい、作業効率が悪いだけでなく、天然芝や天然芝パレット６１同士の接合部分が多くなってしまい、競技者の激しい動きによる天然芝パレット６１等のずれなどが生じやすくなり、ひどい場合には競技を一時中断せざるを得なかった。
【０００５】
このようなことから、本発明は、天然芝の損傷を防止しながらも天然芝パレットを容易に敷設することができると共に、天然芝パレットのずれを抑えることができる天然芝パレット敷設装置を提供することを目的とした。
【０００６】
【課題を解決するための手段】
前述した課題を解決するための、本発明による天然芝パレット敷設装置は、天然芝を取り付けた天然芝パレットと、前記天然芝パレットを浮上させる浮上手段と、前記天然芝パレットを他の天然芝パレットに引き寄せながら連結する連結手段とを備えてなり、前記連結手段が、前記天然芝パレットの一方の側面に突設され、回転自在なローラを先端に有する雄形部材と、前記天然芝パレットの他方の側面に突設され、前記雄形部材の前記ローラを引き寄せるようにして受け入れる略半円型の溝部を先端に有する雌形部材とを備えてなることを特徴とする。
【０００７】
上述した天然芝パレット敷設装置において、前記浮上手段が、前記天然芝パレットの下部に設けられ、空気を送給されて膨らみ小孔から漏らすことができる可撓性を有するダイヤフラムと、前記ダイヤフラムに空気を送給する空気送給手段とを備えてなることを特徴とする。
【０００９】
【発明の実施の形態】
本発明による天然芝パレット敷設装置の実施の形態を図１，２を用いて説明する。なお、図１は、その全体外観を表す平面図、図２は、敷設手順の説明図である。
【００１０】
図１，２において、１はスタジアム、１ａはフィールド、２は格納養生場所、３は水平連絡路、１０ａ〜１０ｃは単位ユニット、２０は天然芝パレット、３０は搬送手段である牽引車、４０は浮上手段である浮上装置、５０は連結手段である連結装置である。
【００１１】
天然芝パレット２０は、天然芝部２１と、当該天然芝部２１を支持する支台部２２と、当該支台部２２の下部に取り付けられた接地枠２３とを備えてなり、例えば、サッカーなどの競技に必要な広さの芝フィールドを移動方向に沿って複数に分割（本実施の形態では三分割）した大きさ（例えば２７ｍ×１２０ｍ）となっている。なお、上記支台部２２は、形鋼材フレームに支えられた浅い箱内に肥料を溶かした水を配分する給水管を備えている。
【００１２】
牽引車３０は、天然芝パレット２０の支台部２２に連結され、当該天然芝パレット２０を牽引することができるようになっている。
【００１３】
浮上装置４０は、前記牽引車３０に搭載された空気送給手段である図示しないコンプレッサと、前記天然芝パレット２０の前記接地枠２３に包囲されるように支台部２２の箱底にそれぞれ配設されて上記コンプレッサに供給配管４２および図示しない絞り弁を介して接続すると共に空気を供給されて膨らみ小孔から漏らす可撓性の材料からなる複数のダイヤフラム４１とを備えてなっている。
【００１４】
つまり、単位ユニット１０ａ〜１０ｃは、大型で大重量であるため、浮上装置４０の前記コンプレッサからダイヤフラム４１の内部に空気圧が加えられることにより、当該ダイヤフラム４１が天然芝パレット２０を持ち上げて、移動にかかる抵抗が大幅に低減され、牽引車３０が牽引することにより、移動開始時および移動停止時に要求される大きな制動力が得られるようになっているのである。なお、浮上装置４０の前記コンプレッサからのダイヤフラム４１への空気圧の供給を停止すると、天然芝パレット２０が自重により下降して、上記ダイヤフラム４１が押し潰されて小孔から内部の空気を漏出して萎み、天然芝パレット２０が接地枠２３を介して支持され、単位ユニット１０ａ〜１０ｃが敷設される。
【００１５】
連結装置５０は、天然芝パレット２０の支台部２２の一方の窪んだ接合側縁部２２ａに隔設された突出する複数の雄形部材５１と、天然芝パレット２０の支台部２２の他方の接合側縁部２２ｂに隔設されて前記雄形部材５１を受け入れる複数の雌形部材５２とを備えてなっている。上記雄形部材５１は、突出する一対のブラケット５１ｂの先端で水平ローラ５１ａを回転自在に支持した構造をなす一方、上記雌形部材５２は、雄形部材５１の上記水平ローラ５１ａを引き寄せるようにして受け入れる略半円形の溝部５２ａと、当該溝部５２ａに受け入れた上記水平ローラ５１ａが上方へ移動した際に当該水平ローラ５１ａを突出方向先端側へ押し出すように案内するテーパ状の突起部５２ｂとを有する樋状をなしている。
【００１６】
このため、例えば、図２（ａ）に示すように、先に敷設した単位ユニット１０ａに新たに敷設する単位ユニット１０ｂを接近させ、図２（ｂ）に示すように、単位ユニット１０ａと単位ユニット１０ｂとの間に若干の隙間Ｃ（例えば１０ｍｍ程度）を有する位置で当該単位ユニット１０ｂの移動を停止し、単位ユニット１０ｂの浮上装置４０の前記コンプレッサを停止して天然芝パレット２０を下降させると、図２（ｃ）に示すように、単位ユニット１０ｂの連結装置５０の雄形部材５１の水平ローラ５１ａが単位ユニット１０ａの連結装置５０の雌形部材５２の溝部５２ａの上方に臨んでスムーズに入り込み、当該溝部５２ａに沿って当該水平ローラ５１ａが填まり込んでいくことから、図２（ｄ）に示すように、上記水平ローラ５１ａと上記溝部５２ａとの填まり込みに伴って、単位ユニット１０ｂが単位ユニット１０ａに引き寄せられ、これら単位ユニット１０ａ，１０ｂの天然芝ユニット２０の天然芝部２１を密接させるように当該単位ユニット１０ａ，１０ｂを連結することができる。
【００１７】
つまり、単位ユニット１０ａ，１０ｂの天然芝パレット２０の天然芝部２１同士を擦り付けることなく当該単位ユニット１０ａ，１０ｂを連結することができるのである。
【００１８】
一方、単位ユニット１０ａ，１０ｂの連結を解除する場合には、単位ユニット１０ｂの浮上装置４０の前記コンプレッサを作動して当該ユニット１０ｂの天然芝パレット２０を上昇させれば、当該上昇に伴って、単位ユニット１０ｂの連結装置５０の雄形部材５１の水平ローラ５１ａが上昇し、単位ユニット１０ａの連結装置５０の雌形部材５２の突起部５２ｂにより、単位ユニット１０ａ，１０ｂ間を引き離すように上記水平ローラ５１が押し戻され、上記雄形部材５１と雌形部材５２との連結が解除される。
【００１９】
このため、単位ユニット１０ａ，１０ｂの接合を解除する場合でも、天然芝パレット２０の天然芝部２１同士を擦り付けずに済むのである。
【００２０】
したがって、このような天然芝パレット敷設装置によれば、以下のような効果を得ることができる。
【００２１】
▲１▼天然芝パレット２０の天然芝部２１同士を擦り付けることなく単位ユニット１０ａ〜１０ｃ間を連結することができるので、天然芝部２１が崩れて傷んだり外観を損ねてしまうことを防止することができ、天然芝部２１の保守管理にかかる手間やコストを大幅に削減することができる。
【００２２】
▲２▼浮上装置４０で天然芝パレット２０を持ち上げて、移動にかかる抵抗を大幅に低減することができるので、単位ユニット１０ａ〜１０ｃをあまり細分化することなくかなり大きくすることができる。このため、天然芝パレット２０の敷設にかかる手間や時間を大幅に削減して、作業効率を向上させることができると共に、天然芝パレット２０同士の接合部分が大幅に少なくなり、天然芝パレット２１等のずれなどが起こりにくく、競技を中断させるような事態を引き起こす虞をほとんどなくすことができる。
【００２３】
なお、本実施の形態では、ブラケット５１ｂの先端に水平ローラ５１ａを有する雄形部材５１を用いる一方、上記水平ローラ５１ａを引き寄せるようにして受け入れる略半円形の溝部５２ａを先端に有する雌形部材５２を用いるようにしたが、例えば、先端側ほど下方に傾斜するテーパ状の下面を有する楔形の雄形部材を用いる一方、当該雄形部材の上記下面に対して滑らかに摺動できて当該雄形部材と嵌合できるテーパ状の溝部を有する雌形部材を用いることにより、雄形部材の下降に伴って、当該雄形部材を引き寄せながら当該雄形部材と嵌合連結する連結装置を適用することも可能である。
【００２４】
また、先に敷設した単位ユニット１０ａの接合側縁部２３ａに雄形部材５１を設け、新たに敷設する単位ユニット１０ｂの接合側縁部２３ｂに雌形部材５２を設けたが、先に敷設する単位ユニットの新たに連結する側の接合側縁部に雌形部材を設け、新たに敷設する単位ユニットの接合側縁部に雄形部材を設けることも可能（この場合には雌形部材の溝部の開口側を下方に向ける。）である。
【００２５】
【発明の効果】
本発明による天然芝パレット敷設装置では、天然芝を取り付けた天然芝パレットと、前記天然芝パレットを浮上させる浮上手段と、前記天然芝パレットを他の天然芝パレットに引き寄せながら連結する連結手段とを備えてなることから、天然芝パレットの移動にかかる抵抗を大幅に低減することができるので、天然芝パレットのサイズを大きくすることができると共に、天然芝を擦り付けることなく天然芝パレットを連結することができるので、連結時の天然芝の崩れによる傷み等を防止することができる。
【００２６】
また、前記浮上手段が、前記天然芝パレットの下部に設けられ、空気を送給されて膨らみ小孔から漏らすことができる可撓性を有するダイヤフラムと、前記ダイヤフラムに空気を送給する空気送給手段とを備えてなることから、簡単な構成で容易に浮上させることができると共に、空気の送給を停止するだけで天然芝パレットを下降させることができる。
【００２７】
また、前記連結手段が、前記天然芝パレットの一方の側面に突設され、回転自在なローラを先端に有する雄形部材と、前記天然芝パレットの他方の側面に突設され、前記雄形部材の前記ローラを引き寄せるようにして受け入れる略半円型の溝部を先端に有する雌形部材とを備えてなることから、簡単な構成で引き寄せながらの前記連結をスムーズに行うことができる。
【図面の簡単な説明】
【図１】本発明による天然芝パレット敷設装置の実施の全体外観を表す平面図である。
【図２】敷設手順の説明図である。
【図３】従来の天然芝パレット敷設装置の全体構成を表す外観図である。
【図４】従来の天然芝パレット敷設装置の要部の概略構造図である。
【符号の説明】
１  スタジアム
１ａ  フィールド
２  格納養生場所
３  水平連絡路
１０ａ〜１０ｃ  単位ユニット
２０  天然芝パレット
２１  天然芝部
２２  支台部
２３  接地枠
３０  牽引車
４０  浮上装置
４１  ダイヤフラム
５０  連結装置
５１  雄型部材
５１ａ  水平ローラ
５１ｂ  ブラケット
５２  雌形部材
５１ａ  溝部
５２ｂ  突起部
【図１】
0003595428.tif 000002
【図２】
0003595428.tif 000003
【図３】
0003595428.tif 000004
【図４】
0003595428.tif 000005